(57)【要約】【課題】算出した電圧値、電流値および電力値、被測定電路の種類、並びに電流検出端子および電圧検出端子についての被測定電路への接続状態をチャンネル毎に一見して把握可能な状態で、被測定電路の配線状態を示す接続図と共に表示させる。【解決手段】処理部は、各チャンネルＣＨ１〜ＣＨ４毎に、チャンネルＣＨ１〜ＣＨ４に対応する１つの方形表示領域Ａ１〜Ａ４を画面６ａ内に規定すると共に、方形表示領域Ａ１〜Ａ４内に、方形表示領域Ａ１〜Ａ４に対応するチャンネル名画像Ｇ３（ＣＨ１〜ＣＨ４）と、チャンネルＣＨ１〜ＣＨ４についての線電流Ｉ、線間電圧Ｕおよび電力の各実効値と、被測定電路の種類名画像Ｇ２（１Ｐ２Ｗ）と、被測定電路の配線状態を示す接続図画像Ｇ４ａと、チャンネルＣＨ１〜ＣＨ４についての被測定電路への接続状態を示す接続図画像Ｄ４ｂとを表示させる。【選択図】図２
2010175424.tif 000002
【特許請求の範囲】
【請求項１】
線電流および線間電圧を１チャンネル分ずつ入力可能に構成された１組の電流検出端子および電圧検出端子を複数チャンネル分備えた入力部と、
被測定電路の種類に応じて前記複数のチャンネルから選択された任意のチャンネルの前記電流検出端子および前記電圧検出端子に入力した当該被測定電路についての前記線電流の電流値および前記線間電圧の電圧値を算出すると共に、当該算出した電流値および電圧値に基づいて前記選択されたチャンネルにおける電力値を算出して、当該電流値、当該電圧値および当該電力値を表示部の画面に表示させる処理部とを備えた電力計であって、
前記処理部は、前記選択されたチャンネル毎に、当該チャンネルに対応する１つの方形表示領域を前記画面内に規定すると共に、当該方形表示領域内に、当該方形表示領域に対応するチャンネルのチャンネル名と、当該チャンネルにおける前記電流値、前記電圧値および前記電力値と、前記被測定電路の前記種類についての種類名と、当該被測定電路の配線状態を示す接続図と、当該チャンネルの前記電流検出端子および前記電圧検出端子についての当該被測定電路への接続状態を示す接続図とを表示させる電力計。
【請求項２】
前記処理部は、前記被測定電路に三相の被測定電路を含むときには、当該三相の被測定電路に前記電流検出端子および前記電圧検出端子が接続される複数の前記チャンネルについての前記方形表示領域を隣接させて規定すると共に、当該複数のチャンネルに共通する前記被測定電路の前記種類名、および前記被測定電路の前記配線状態を示す前記接続図を、当該隣接させたすべての方形表示領域に亘って１つずつ表示させる請求項１記載の電力計。
【請求項３】
前記処理部は、前記三相の被測定電路について前記各電圧値のベクトル図、および前記各電流値のベクトル図を前記隣接させたすべての方形表示領域内のいずれかの部位に表示させる請求項２記載の電力計。
【発明の詳細な説明】
【技術分野】
【０００１】
本発明は、線電流および線間電圧を１チャンネル分ずつ入力可能に構成された１組の電流検出端子および電圧検出端子を複数チャンネル分備え、この電流検出端子および電圧検出端子に接続された被測定電路の電力を算出して表示する電力計に関するものである。
【背景技術】
【０００２】
この種の電力計として、本願出願人は、下記特許文献１に開示された電力計（電力測定器）を既に提案している。この電力計は、入力部、設定部、ＣＰＵ、記憶手段としてのＲＯＭおよびＲＡＭ、並びに表示部を備えている。この場合、入力部は、電流検出プローブおよび電圧検出プローブがそれぞれ１本ずつ接続される複数のチャンネル分の電流検出端子および電圧検出端子と、各チャンネルから入力される交流電流および交流電圧をディジタル信号に変換するＡ／Ｄ変換器とを備えている。この電力計では、被測定電路の電力測定に際して、被測定電路の種類（単相２線、単相３線、三相３線または三相４線などの電力伝送の方式）が作業者によって設定部に設定され、測定に使用される各チャンネルの電流検出端子および電圧検出端子が作業者によって電流検出プローブおよび電圧検出プローブを介して被測定電路に接続される。
【０００３】
この状態において、入力部は、被測定電路から入力した交流電流および交流電圧をＡ／Ｄ変換器でサンプリングして電流データおよび電圧データに変換して、ＣＰＵに出力する。ＣＰＵは、入力した電流データおよび電圧データをＲＡＭに記憶させると共に、この各データから電力値を算出する。併せて、ＣＰＵは、この各データに対して、設定部に設定された電力伝送の方式に応じた処理、つまり、使用されているチャネルの交流電圧および交流電流の各基本波を取り出して、それらの実効値・位相差を算出し、この実効値と位相差とから、測定結果（算出した電力値）にエラーが発生しているかどうかを判断すると共に、交流電圧および交流電流のベクトルを算出する。最後に、ＣＰＵは、算出した電力値およびベクトルを表示部に表示させると共に、測定結果にエラーが発生しているときにはその旨を表示部に表示させる。
【先行技術文献】
【特許文献】
【０００４】
【特許文献１】特開２０００−２５８４８４号公報（第２−５頁、第１図）
【発明の概要】
【発明が解決しようとする課題】
【０００５】
ところが、上記の電力計には、以下の解決すべき課題が存在している。すなわち、上記電力計を含むこの種の電力計では、各チャンネルで測定された交流電圧および交流電流のベクトルと、各チャンネルで測定された電力値とが、いずれのチャンネルで測定されたものであるかを識別し得る状態で表示部に表示され、その表示方法としては、例えば、チャンネル毎に色分けしてベクトルや電力値を表示する方法や、チャンネル名を付して表示する方法が通常用いられている。しかしながら、さらに、被測定電路の種類、被測定電路の配線状態を示す接続図、交流電圧および交流電流の各実効値、並びに電流検出端子および電圧検出端子の被測定電路への接続状態を示す接続図など、より多くの情報をチャンネル毎に表示部に表示させるときには、上記の色分けやチャンネル名の表示などの表示方法では、どの情報がどのチャンネルのものであるかを一見して把握するのが困難であるという課題が存在している。
【０００６】
本発明は、かかる課題を解決すべくなされたものであり、算出した電圧値、電流値および電力値、被測定電路の種類、並びに電流検出端子および電圧検出端子についての被測定電路への接続状態をチャンネル毎に一見して把握可能な状態で、被測定電路の配線状態を示す接続図と共に表示させ得る電力計を提供することを主目的とする。
【課題を解決するための手段】
【０００７】
上記目的を達成すべく請求項１記載の電力計は、線電流および線間電圧を１チャンネル分ずつ入力可能に構成された１組の電流検出端子および電圧検出端子を複数チャンネル分備えた入力部と、被測定電路の種類に応じて前記複数のチャンネルから選択された任意のチャンネルの前記電流検出端子および前記電圧検出端子に入力した当該被測定電路についての前記線電流の電流値および前記線間電圧の電圧値を算出すると共に、当該算出した電流値および電圧値に基づいて前記選択されたチャンネルにおける電力値を算出して、当該電流値、当該電圧値および当該電力値を表示部の画面に表示させる処理部とを備えた電力計であって、前記処理部は、前記選択されたチャンネル毎に、当該チャンネルに対応する１つの方形表示領域を前記画面内に規定すると共に、当該方形表示領域内に、当該方形表示領域に対応するチャンネルのチャンネル名と、当該チャンネルにおける前記電流値、前記電圧値および前記電力値と、前記被測定電路の前記種類についての種類名と、当該被測定電路の配線状態を示す接続図と、当該チャンネルの前記電流検出端子および前記電圧検出端子についての当該被測定電路への接続状態を示す接続図とを表示させる。
【０００８】
また、請求項２記載の電力計は、請求項１記載の電力計において、前記処理部は、前記被測定電路に三相の被測定電路を含むときには、当該三相の被測定電路に前記電流検出端子および前記電圧検出端子が接続される複数の前記チャンネルについての前記方形表示領域を隣接させて規定すると共に、当該複数のチャンネルに共通する前記被測定電路の前記種類名、および前記被測定電路の前記配線状態を示す前記接続図を、当該隣接させたすべての方形表示領域に亘って１つずつ表示させる。
【０００９】
また、請求項３記載の電力計は、請求項２記載の電力計において、前記処理部は、前記三相の被測定電路について前記各電圧値のベクトル図、および前記各電流値のベクトル図を前記隣接させたすべての方形表示領域内のいずれかの部位に表示させる。
【発明の効果】
【００１０】
請求項１記載の電力計では、処理部は、選択されたチャンネル毎に、このチャンネルに対応する１つの方形表示領域を表示部の画面内に規定すると共に、方形表示領域内に、方形表示領域に対応するチャンネルのチャンネル名と、そのチャンネルにおける線電流の電流値、線間電圧の電圧値、および電力値と、被測定電路の種類名と、被測定電路の配線状態を示す接続図と、そのチャンネルの電流検出端子および電圧検出端子についての被測定電路への接続状態を示す接続図とを表示させる。
【００１１】
したがって、この電力計によれば、表示部の画面の表示内容に基づき、被測定電路へのチャンネル毎の電流検出端子および電圧検出端子の接続状態を一見して正確に把握させることができる。このため、作業者は、表示部の表示内容に従って各チャンネルの電流検出端子および電圧検出端子を被測定電路に接続することにより、各チャンネルの各端子を、対応する被測定電路に短時間で、しかも正確に接続することができる。また、この電力計によれば、チャンネルで測定された線間電圧の電圧値、線電流の電流値および電力値がチャンネル毎に区分けして表示されるため、作業者に対して、測定結果を一見して正確に確認させることができる。
【００１２】
請求項２記載の電力計では、被測定電路に三相の被測定電路を含むときには、三相の被測定電路に電流検出端子および電圧検出端子が接続される複数のチャンネルについての方形表示領域を隣接させて規定すると共に、この複数のチャンネルに共通する被測定電路の種類名、およびこの被測定電路の配線状態を示す接続図を、隣接させたすべての方形表示領域に亘って１つずつ表示させる。したがって、この電力計によれば、隣接するすべての方形表示領域に亘って表示される被測定電路の種類名および接続図に基づいて、作業者に対して、各チャンネルの電流検出端子および電圧検出端子が共にこの１つの被測定電路に接続されることと、各チャンネルの電流検出端子および電圧検出端子のこの被測定電路への具体的な接続状態とを一見して正確に把握させることができる。
【００１３】
請求項３記載の電力計によれば、処理部が、三相の被測定電路について各電圧値のベクトル図、および各電流値のベクトル図を、隣接させたすべての方形表示領域内のいずれかの部位に表示させることにより、各電圧値の位相関係および各電流値の位相関係についても、一見して正確に把握させることができる。
【図面の簡単な説明】
【００１４】
【図１】電力計１の構成を示す構成図である。
【図２】４つの単相２線式電路の電力を測定する際の表示部６における画面６ａの表示内容を説明するための説明図である。
【図３】１つの三相３線式電路と１つの単相２線式電路の電力を測定する際の表示部６における画面６ａの表示内容を説明するための説明図である。
【図４】プルダウンメニュー方式で被測定電路の種類を設定する場合の表示部６における画面６ａの表示内容を示す説明図である。
【発明を実施するための形態】
【００１５】
以下、添付図面を参照して、本発明に係る電力計の形態について説明する。
【００１６】
まず、電力計１の構成について、図面を参照して説明する。
【００１７】
電力計１は、図１に示すように、入力部２、処理部３、記憶部４、設定部５および表示部６を備え、被測定電路の電力を計測可能に構成されている。入力部２は、被測定電路の線電流Ｉおよび線間電圧Ｕを１チャンネル分ずつ入力可能に構成された後述する１組の電流検出端子および電圧検出端子を複数チャンネル分備えると共に、各チャンネルの電流検出端子および電圧検出端子を介して入力された交流信号を所定のサンプリング周期でサンプリングしてディジタルデータに変換して出力するＡ／Ｄ変換器（不図示）を備えて構成されている。また、一例として、入力部２は、各チャンネルの電流検出端子に電流検出プローブが接続可能に構成されると共に、電圧検出端子に電圧検出プローブが接続可能に構成されている。この場合、電流検出プローブは、検出した線電流をその電流値に応じて振幅が変化する交流電圧に変換して出力する。このため、電流検出プローブを介して各電流検出端子に入力される信号は交流電圧となるが、この交流電圧は上記したように電流検出プローブによって検出された線電流を示すものであるため、以下では、発明の理解を容易にするため、各電流検出端子に入力される信号は線電流Ｉであるとして説明する。なお、電流検出プローブおよび電圧検出プローブを使用する構成に代えて、後述する各チャンネルの電流検出端子１１，１３，１５，１７および電圧検出端子１２，１４，１６，１８を被測定電路に直接接続する構成を採用することもできる。
【００１８】
本例では、一例として、入力部２は、電流検出プローブが接続される２端子の電流検出端子と電圧検出プローブが接続される２端子の電圧検出端子との組を４チャンネル分備え、図１に示すように、第１チャンネルＣＨ１における電流検出端子１１および電圧検出端子１２の組から線電流Ｉ１および線間電圧Ｕ１を１チャンネル分ずつ入力し、第２チャンネルＣＨ２における電流検出端子１３および電圧検出端子１４の組から線電流Ｉ２および線間電圧Ｕ２を１チャンネル分ずつ入力し、第３チャンネルＣＨ３における電流検出端子１５および電圧検出端子１６の組から線電流Ｉ３および線間電圧Ｕ３を１チャンネル分ずつ入力し、第４チャンネルＣＨ４における電流検出端子１７および電圧検出端子１８の組から線電流Ｉ４および線間電圧Ｕ４を１チャンネル分ずつ入力可能に構成されている。また、線電流Ｉ１，Ｉ２，Ｉ３，Ｉ４については、特に区別しないときには「線電流Ｉ」ともいい、線間電圧Ｕ１，Ｕ２，Ｕ３，Ｕ４については、特に区別しないときには「線間電圧Ｕ」ともいう。
【００１９】
上記の構成により、入力部２は、各チャンネルの電流検出端子に電流検出プローブを介して入力された線電流Ｉと、各チャンネルの電圧検出端子に電圧検出プローブを介して入力された線間電圧Ｕとを、Ａ／Ｄ変換器でディジタルデータ（線電流Ｉについては電流データＤｉ、線間電圧Ｕについては電圧データＤｕ）にそれぞれ変換して、どのチャンネルのどのディジタルデータであるかを識別可能な状態で出力する。
【００２０】
処理部３は、ＣＰＵで構成されて、記憶部４に記憶されている動作プログラムに従い、各チャンネルＣＨ１〜ＣＨ４で測定する被測定電路の種類を設定する設定処理と、入力部２から出力される電流データＤｉおよび電圧データＤｕに基づく電力算出処理とを実行する。記憶部４は、ＲＯＭおよびＲＡＭなどの半導体メモリで構成されて、処理部３のための動作プログラムが予め記憶されると共に、処理部３のワークメモリとして機能する。また、記憶部４には、チャンネル名画像Ｇ３（一例として、「ＣＨ１」〜「ＣＨ４」の各文字）を表示させるためのチャンネル名データＤ３と、被測定電路の種類名画像Ｇ２（一例として、単相２線式電路を示す「１Ｐ２Ｗ」、単相３線式電路を示す「１Ｐ３Ｗ」および三相３線式電路を示す「３Ｐ３Ｗ３Ｍ」の各文字）を表示させるための種類名データＤ２と、被測定電路の配線状態並びに電流検出プローブおよび電圧検出プローブの被測定電路への接続状態を示す被測定電路の種類毎の接続図データＤ４とが記憶されている。この場合、接続図データＤ４は、被測定電路の配線状態を示す接続図画像Ｇ４ａ（本発明における配線状態を示す接続図）、および各プローブの被測定電路への接続状態を示す接続図画像Ｇ４ｂ（本発明における接続状態を示す接続図）を表示させるためのデータで構成されている。
【００２１】
設定部５は、一例として操作パネルで構成されて、各チャンネルＣＨ１〜ＣＨ４で測定する被測定電路の種類を選択するための選択ボタンを備えている。また、設定部５は、選択ボタンによって選択された被測定電路の種類を示す種別データＤ１を処理部３に出力する。表示部６は、ＬＣＤ（Ｌｉｑｕｉｄ  Ｃｒｙｓｔａｌ  Ｄｉｓｐｌａｙ）などのディスプレイ装置で構成されて、処理部３の制御下で、各チャンネル名画像Ｇ３、各チャンネルで測定する被測定電路の種類名画像Ｇ２、被測定電路の配線状態を示す接続図画像Ｇ４ａ、各チャンネルに接続された各プローブの被測定電路への接続状態を示す接続図画像Ｇ４ｂ、および電力値などを、その画面６ａに表示する。
【００２２】
次に、電力計１の動作について説明する。なお、入力部２の各チャンネルＣＨ１〜ＣＨ４を構成する各電流検出端子１１，１３，１５，１７には電流検出プローブ２１が予め接続され、各電圧検出端子１２，１４，１６，１８には電圧検出プローブ３１が予め接続されているものとする。
【００２３】
電力計１では、作動状態において、入力部２が、各チャンネルＣＨ１〜ＣＨ４における各電流検出端子１１，１３，１５，１７から入力した信号を電流データＤｉにそれぞれ変換して出力すると共に、各電圧検出端子１２，１４，１６，１８から入力した信号を電圧データＤｕにそれぞれ変換して出力する。
【００２４】
この状態において、処理部３は、まず、設定処理を実行する。この設定処理では、処理部３は、被測定電路の種類を選択するための操作が設定部５に対して行われて、設定部５から種別データＤ１が出力されたときには、この種別データＤ１を入力して記憶部４に記憶させる。次いで、処理部３は、この種別データＤ１で示される被測定電路の種類をチャンネルＣＨ１〜ＣＨ４毎に特定すると共に、特定した種類に対応する種類名データＤ２およびその接続図データＤ４を記憶部４から読み出して、各チャンネルＣＨ１〜ＣＨ４に対応させて記憶部４に記憶させる。続いて、処理部３は、チャンネルＣＨ１〜ＣＨ４毎に区分けして、チャンネル名データＤ３に基づくチャンネル名画像Ｇ３と、被測定電路の種類名データＤ２に基づく被測定電路の種類名画像Ｇ２と、被測定電路の配線状態を示す接続図画像Ｇ４ａと、電流検出プローブおよび電圧検出プローブの被測定電路への接続状態を示す接続図画像Ｇ４ｂとを表示部６の画面６ａに表示させる。
【００２５】
一例として、設定部５の選択ボタンに対する操作により、設定部５が処理部３に対して第１チャンネルＣＨ１〜第４チャンネルＣＨ４で測定する被測定電路の種類がすべて単相２線式であることを示す種別データＤ１を出力したときには、処理部３は、この種別データＤ１に基づき、図２において仮想的に破線で示すように、測定に使用される各チャンネルＣＨ１〜ＣＨ４に対応する方形表示領域Ａ１〜Ａ４（以下、区別しないときには、方形表示領域Ａともいう）を表示部６の画面６ａ内に並列させて規定して、方形表示領域Ａ１内に、方形表示領域Ａ１に対応する第１チャンネルＣＨ１のチャンネル名画像Ｇ３（「ＣＨ１」）をチャンネル名データＤ３に基づいて、また被測定電路の種類名画像Ｇ２（「１Ｐ２Ｗ」）を種類名データＤ２に基づいて、また被測定電路の配線状態を示す接続図画像Ｇ４ａ並びに第１チャンネルＣＨ１に接続された電流検出プローブ２１および電圧検出プローブ３１の被測定電路への接続状態を示す接続図画像Ｇ４ｂを接続図データＤ４に基づいてそれぞれ表示させる。
【００２６】
また、処理部３は、同様にして、方形表示領域Ａ２内に、方形表示領域Ａ２に対応する第２チャンネルＣＨ２のチャンネル名画像Ｇ３（「ＣＨ２」）をチャンネル名データＤ３に基づいて、また被測定電路の種類名画像Ｇ２（「１Ｐ２Ｗ」）を種類名データＤ２に基づいて、また被測定電路の配線状態を示す接続図画像Ｇ４ａ並びに第２チャンネルＣＨ２に接続された電流検出プローブ２１および電圧検出プローブ３１の被測定電路への接続状態を示す接続図画像Ｇ４ｂを接続図データＤ４に基づいてそれぞれ表示させ、方形表示領域Ａ３内に、方形表示領域Ａ３に対応する第３チャンネルＣＨ３のチャンネル名画像Ｇ３（「ＣＨ３」）をチャンネル名データＤ３に基づいて、また被測定電路の種類名画像Ｇ２（「１Ｐ２Ｗ」）を種類名データＤ２に基づいて、また被測定電路の配線状態を示す接続図画像Ｇ４ａ並びに第３チャンネルＣＨ３に接続された電流検出プローブ２１および電圧検出プローブ３１の被測定電路への接続状態を示す接続図画像Ｇ４ｂを接続図データＤ４に基づいてそれぞれ表示させ、方形表示領域Ａ４内に、方形表示領域Ａ４に対応する第４チャンネルＣＨ４のチャンネル名画像Ｇ３（「ＣＨ４」）をチャンネル名データＤ３に基づいて、また被測定電路の種類名画像Ｇ２（「１Ｐ２Ｗ」）を種類名データＤ２に基づいて、また被測定電路の配線状態を示す接続図画像Ｇ４ａ並びに第４チャンネルＣＨ４に接続された電流検出プローブ２１および電圧検出プローブ３１の被測定電路への接続状態を示す接続図画像Ｇ４ｂを接続図データＤ４に基づいてそれぞれ表示させる。これにより、設定処理が完了する。
【００２７】
この設定処理の結果、表示部６には、図２に示すように、チャンネルＣＨ１〜ＣＨ４毎に、チャンネル名画像Ｇ３と、被測定回路の種類名画像Ｇ２と、被測定電路の配線状態を示す接続図画像Ｇ４ａと、電流検出プローブ２１および電圧検出プローブ３１の被測定電路への接続状態を示す接続図画像Ｇ４ｂ（以下では、接続図画像Ｇ４ａ，Ｇ４ｂをまとめて「接続図画像Ｇ４」ともいう）とが、上下方向に沿って並んだ状態で、他のチャンネルの画像と区分された状態で表示されるため、各チャンネルＣＨ１〜ＣＨ４の電流検出プローブ２１および電圧検出プローブ３１の被測定電路への接続状態が一見して把握可能となっている。これにより、作業者は、表示部６の表示内容に従って各チャンネルＣＨ１〜ＣＨ４の電流検出プローブ２１および電圧検出プローブ３１を被測定電路に対して接続することにより、各チャンネルＣＨ１〜ＣＨ４の各プローブ２１，３１を、対応する被測定電路（本例では、４つの単相２線式電路）に短時間で、かつ正確に接続可能となっている。なお、設定部５の選択ボタンに対する操作により、チャンネルＣＨ１〜ＣＨ４のうちの一部のチャンネルだけを選択可能な構成として、選択されたチャンネルの方形表示領域Ａのみを表示部６の画面６ａに規定し、この規定された方形表示領域Ａ内に、対応するチャンネル名画像Ｇ３と、被測定電路の種類名画像Ｇ２と、接続図画像Ｇ４とを表示させる構成とすることもできる。
【００２８】
次いで、処理部３は、電力算出処理を実行する。この電力算出処理では、処理部３は、まず、入力部２から出力される各チャンネルＣＨ１〜ＣＨ４の電流データＤｉおよび電圧データＤｕを所定時間分（例えば、線間電圧Ｕの１周期分以上）取り込んで、記憶部４に記憶させる。これにより、記憶部４には、第１チャンネルＣＨ１の電流検出端子１１から入力した線電流Ｉ１についての電流データＤｉと、電圧検出端子１２から入力した線間電圧Ｕ１の電圧データＤｕとが記憶され、第２チャンネルＣＨ２の電流検出端子１３から入力した線電流Ｉ２についての電流データＤｉと、電圧検出端子１４から入力した線間電圧Ｕ２の電圧データＤｕとが記憶され、第３チャンネルＣＨ３の電流検出端子１５から入力した線電流Ｉ３についての電流データＤｉと、電圧検出端子１６から入力した線間電圧Ｕ３の電圧データＤｕとが記憶され、第４チャンネルＣＨ１の電流検出端子１７から入力した線電流Ｉ４についての電流データＤｉと、電圧検出端子１８から入力した線間電圧Ｕ４の電圧データＤｕとが記憶される。
【００２９】
続いて、処理部３は、チャンネルＣＨ１〜ＣＨ４毎に、電流データＤｉに基づいて線電流Ｉの実効値（本発明における電流値）を算出すると共に、電圧データＤｕに基づいて線間電圧Ｕの実効値（本発明における電圧値）を算出し、さらに、線電流Ｉおよび線間電圧Ｕの各実効値に基づいて電力Ｐの実効値（本発明における電力値）を算出して、線電流Ｉおよび線間電圧Ｕの各実効値並びに電力Ｐの実効値を記憶部４に記憶させる。最後に、処理部３は、記憶部４に記憶されている各チャンネルＣＨ１〜ＣＨ４についての線電流Ｉおよび線間電圧Ｕの各実効値並びに電力の実効値を、表示部６の画面６ａに規定した各方形表示領域Ａのうちの対応する方形表示領域内に、各線間電圧の名称、各線電流の名称および各電力の名称と共に、各チャンネルＣＨ１〜ＣＨ４の方形表示領域Ａ１〜Ａ４内に１つの枠Ｂ１〜Ｂ４で囲まれた形態で表示させる。本例では、一例として、線間電圧の名称として、各線間電圧Ｕ１，Ｕ２，Ｕ３，Ｕ４についてそれぞれ文字「Ｕ１」、「Ｕ２」、「Ｕ３」、「Ｕ４」を使用し、線電流の名称として、線電流Ｉ１，Ｉ２，Ｉ３，Ｉ４についてそれぞれ文字「Ｉ１」、「Ｉ２」、「Ｉ３」、「Ｉ４」を使用し、各電力の名称として、各チャンネルＣＨ１〜ＣＨ４について、文字「Ｐ１」、「Ｐ２」、「Ｐ３」、「Ｐ４」を使用する。
【００３０】
したがって、この電力計１では、使用するチャンネルＣＨ１〜ＣＨ４毎に、チャンネル名画像Ｇ３と、被測定回路の種類名画像Ｇ２と、被測定電路の配線状態並びに電流検出プローブ２１および電圧検出プローブ３１の被測定電路への接続状態（つまり、電流検出端子および電圧検出端子についての被測定電路への接続状態）を示す接続図画像Ｇ４と、線間電圧Ｕの実効値と、線電流Ｉの実効値と、電力Ｐの実効値とが、画面６ａ内において、他のチャンネル（隣接するチャンネル）の対応する画像等と区分された状態で画面６ａの横方向に並んで表示されるため、チャンネルＣＨ１〜ＣＨ４毎の線間電圧Ｕの実効値、線電流Ｉの実効値、および電力Ｐの実効値を正確に、しかも、一見して把握可能となっている。なお、枠Ｂ１〜Ｂ４については、表示させない構成を採用することができるのは勿論である。
【００３１】
次いで、設定部５の選択ボタンに対する操作により、設定部５が処理部３に対して第１チャンネルＣＨ１〜第３チャンネルＣＨ３で測定する被測定電路の種類が三相３線式電路で、かつ第４チャンネルＣＨ４で測定する被測定電路の種類が単相２線式であることを示す種別データＤ１を出力したときの電力計１の動作について説明する。
【００３２】
この場合、処理部３は、この種別データＤ１に基づき、図３において仮想的に破線で示すように、測定に使用される各チャンネルＣＨ１〜ＣＨ４に対応する方形表示領域Ａ１〜Ａ４を表示部６の画面６ａ内に並列させて規定すると共に、各方形表示領域Ａ１〜Ａ４内に、対応するチャンネルＣＨ１〜ＣＨ４のチャンネル名画像Ｇ３（「ＣＨ１」、「ＣＨ２」、「ＣＨ３」、「ＣＨ４」）を表示させる。また、本例では、被測定電路に三相３線式電路を含むため、三相３線式電路に電流検出プローブ２１および電圧検出プローブ３１が接続されるチャンネルＣＨ１〜ＣＨ３についての方形表示領域Ａ１〜Ａ３が隣接した状態で規定されている。この場合、チャンネルＣＨ１〜ＣＨ３での被測定電路は、共通する１つの三相３線式電路であるため、この三相３線式電路の種類を示す種類名画像Ｇ２（「３Ｐ３Ｗ３Ｍ」）は、隣接するすべての方形表示領域Ａ１〜Ａ３に対応させて（すべての方形表示領域Ａ１〜Ａ３に亘るようにして）１つ表示される。また、三相３線式電路の配線状態並びに各チャンネルＣＨ１〜ＣＨ３についての電流検出プローブ２１および電圧検出プローブ３１の三相３線式電路への接続状態を示す接続図画像Ｇ４のうち、三相３線式電路の配線状態を示す接続図画像Ｇ４ａについては、チャンネルＣＨ１〜ＣＨ３で共通するため、この接続図画像Ｇ４ａについてはすべての方形表示領域Ａ１〜Ａ３に対応させて（すべての方形表示領域Ａ１〜Ａ３に亘るようにして）１つ表示される。一方、各チャンネルＣＨ１〜ＣＨ３の電流検出プローブ２１および電圧検出プローブ３１の三相３線式電路への接続状態を示す接続図画像Ｇ４ｂについては対応する方形表示領域Ａ１〜Ａ３内にそれぞれ表示される。なお、単相２線式電路に電流検出プローブ２１および電圧検出プローブ３１が接続される第４チャンネルＣＨ４については、図２に示す上記の例と同一の状態で画面６ａに表示される。
【００３３】
したがって、この電力計１では、表示部６の画面６ａの表示内容に基づき、被測定電路である三相３線式電路への各チャンネルＣＨ１〜ＣＨ３の電流検出プローブ２１および電圧検出プローブ３１の接続状態（つまり、三相３線式電路への各チャンネルＣＨ１〜ＣＨ３の電流検出端子１１，１３，１５および電圧検出端子１２，１４，１６についての接続状態）と、被測定電路である単相２線式電路へのチャンネルＣＨ４の電流検出プローブ２１および電圧検出プローブ３１の接続状態（つまり、単相２線式電路へのチャンネルＣＨ４の電流検出端子１７および電圧検出端子１８についての接続状態）とを一見して把握させることが可能となっている。このため、作業者は、表示部６の表示内容に従って各チャンネルの電流検出プローブ２１および電圧検出プローブ３１（電流検出端子１１，１３，１５，１７および電圧検出端子１２，１４，１６，１８）を被測定電路に対して接続することにより、各チャンネルの各プローブ２１，３１（電流検出端子１１，１３，１５，１７および電圧検出端子１２，１４，１６，１８）を、対応する被測定電路（本例では、１つの三相３線式電路と１つの単相２線式電路）に短時間で、しかも正確に接続可能となっている。
【００３４】
また、処理部３は、被測定電路の種類が三相３線式電路のときにおいても、上記した単相２線式電路のときと同様にして、入力部２から各チャンネルＣＨ１〜ＣＨ４の電流データＤｉおよび電圧データＤｕを記憶部４に記憶させると共に、これらの電流データＤｉおよび電圧データＤｕに基づき、チャンネルＣＨ１〜ＣＨ４毎に、線電流Ｉの実効値、線間電圧Ｕの実効値、および電力Ｐの実効値を算出して記憶部４に記憶させる。また、処理部３は、記憶部４に記憶されている各チャンネルＣＨ１〜ＣＨ４についての線電流Ｉおよび線間電圧Ｕの各実効値並びに電力Ｐの実効値を、図３に示すように、各方形表示領域Ａ１〜Ａ４内に枠Ｂ１〜Ｂ４で囲んだ形態で表示させる。さらに、処理部３は、被測定電路が三相３線式電路のときには、三相３線式電路の測定に使用されているチャンネルにおいて測定された電流データＤｉおよび電圧データＤｕから、各線電流Ｉのベクトル図画像Ｇ５ａ（本発明における電流値のベクトル図）、および各線間電圧Ｕのベクトル図Ｇ５ｂ（本発明における電圧値のベクトル図）を作成して、隣接させたすべての方形表示領域Ａ１〜Ａ３内の所定の部位（本例では方形表示領域Ａ１，Ａ２内における下部：本発明におけるいずれかの部位に相当する）に表示させる。具体的には、本例では、処理部３は、三相３線式電路の測定に使用されているチャンネルＣＨ１〜ＣＨ３において測定された電流データＤｉおよび電圧データＤｕから、各線電流Ｉ１，Ｉ２，Ｉ３のベクトル図画像Ｇ５ａ、および各線間電圧Ｕ１，Ｕ２，Ｕ３のベクトル図画像Ｇ５ｂを作成して、図３に示すように、対応する方形表示領域（本例では一例として、隣接して規定された方形表示領域Ａ１〜Ａ３のうちの方形表示領域Ａ１，Ａ２）内の下部に表示させる。したがって、この電力計１では、表示部６の画面６ａの表示内容に基づき、単相２線式電路についての線間電圧Ｕの実効値、線電流Ｉの実効値、および電力Ｐの実効値と共に、三相３線式電路についての線間電圧Ｕの実効値、線電流Ｉの実効値、および電力Ｐの実効値についても、一見して正確に把握可能となっている。さらに、三相３線式電路については、各線電流Ｉの位相関係および各線間電圧の位相関係についても、対応するベクトル図に基づいて、一見して正確に把握可能となっている。
【００３５】
このように、この電力計１では、処理部３は、チャンネルＣＨ１〜ＣＨ４毎に、各チャンネルＣＨ１〜ＣＨ４にそれぞれ１つずつ対応させた方形表示領域Ａ１〜Ａ４を画面６ａ内に規定すると共に、各方形表示領域Ａ１〜Ａ４内に、方形表示領域Ａ１〜Ａ４に対応するチャンネルＣＨ１〜ＣＨ４のチャンネル名画像Ｇ３と、チャンネルＣＨ１〜ＣＨ４で測定された線電流Ｉの実効値、線間電圧Ｕの実効値、および電力Ｐの実効値と、被測定電路の種類名画像Ｇ２と、被測定電路の配線状態並びにチャンネルＣＨ１〜ＣＨ４の電流検出端子１１，１３，１５，１７および電圧検出端子１２，１４，１６，１８についての被測定電路への接続状態（一例として本例ではチャンネルＣＨ１〜ＣＨ４の電流検出プローブ２１および電圧検出プローブ３１の被測定電路への接続状態）を示す接続図画像Ｇ４とを表示させる。
【００３６】
したがって、この電力計１によれば、表示部６の画面６ａの表示内容に基づき、被測定電路へのチャンネルＣＨ１〜ＣＨ４毎の電流検出端子１１，１３，１５，１７および電圧検出端子１２，１４，１６，１８についての接続状態（本例では電流検出プローブ２１および電圧検出プローブ３１の接続状態）を一見して正確に把握させることができる。このため、作業者は、表示部６の表示内容に従って各チャンネルＣＨ１〜ＣＨ４の電流検出端子１１，１３，１５，１７および電圧検出端子１２，１４，１６，１８（本例では電流検出プローブ２１および電圧検出プローブ３１）を被測定電路に接続することにより、各チャンネルＣＨ１〜ＣＨ４の電流検出端子１１，１３，１５，１７および電圧検出端子１２，１４，１６，１８（各プローブ２１，３１）を、対応する被測定電路に短時間で、しかも正確に接続することができる。また、この電力計１によれば、チャンネルＣＨ１〜ＣＨ４で測定された線間電圧Ｕの実効値、線電流Ｉの実効値、および電力Ｐの実効値がチャンネルＣＨ１〜ＣＨ４毎に区分けして表示されるため、測定結果を一見して正確に確認させることができる。
【００３７】
また、この電力計１では、例えば三相３線式電路のような三相の電路を被測定電路に含むときには、三相の被測定電路に電流検出プローブ２１および電圧検出プローブ３１を介して電流検出端子１１，１３，１５および電圧検出端子１２，１４，１６が接続されるチャンネルＣＨ１〜ＣＨ３についての方形表示領域Ａ１〜Ａ３を隣接させて規定すると共に、チャンネルＣＨ１〜ＣＨ３に共通する三相３線式電路の種類名画像Ｇ２、および接続図画像Ｇ４に含まれる三相３線式電路の配線状態を示す接続図画像Ｇ４ａを、方形表示領域Ａ１〜Ａ３の全体に亘って１つ表示させる。したがって、この電力計１によれば、隣接するすべての方形表示領域Ａ１〜Ａ３に亘って表示される三相３線式電路の種類名画像Ｇ２および接続図画像Ｇ４ａに基づいて、チャンネルＣＨ１〜ＣＨ３の電流検出端子１１，１３，１５および電圧検出端子１２，１４，１６（本例では電流検出端子１１，１３，１５および電圧検出端子１２，１４，１６に接続された電流検出プローブ２１および電圧検出プローブ３１）が共に１つの三相３線式電路に接続されることと、チャンネルＣＨ１〜ＣＨ３の電流検出端子１１，１３，１５および電圧検出端子１２，１４，１６（本例ではこれらの端子に接続された電流検出プローブ２１および電圧検出プローブ３１）についての三相３線式電路への具体的な接続状態とを一見して正確に把握させることができる。
【００３８】
また、この電力計１によれば、処理部３が、三相３線式電路などの三相の被測定電路について線間電圧Ｕのベクトル図、および線電流Ｉのベクトル図を、隣接させた方形表示領域Ａ１〜Ａ３内に表示させることにより、各線間電圧Ｕ１〜Ｕ３の位相関係および各線電流Ｉ１〜Ｉ３の位相関係についても、一見して正確に把握させることができる。
【００３９】
なお、本発明は、上記の構成に限定されない。例えば、選択ボタンを備えた設定部５を設けて、この選択ボタンを操作して、処理部３に対して被測定電路の種類を示す種別データＤ１を出力させる構成について上記したが、これに限らない。例えば、図２，３に示すように表示部６の画面６ａに表示される被測定電路の種類名画像Ｇ２を表示させる欄を、図４に示すように、プルダウンメニュー方式で被測定電路の種類名を選択できる欄（項目欄）に構成して、プルダウンメニュー方式で選択されてこの欄に表示された各チャンネルＣＨ１〜ＣＨ４の種類名データＤ２を種別データとして表示部６から処理部３に出力する構成を採用することもできる。なお、図４内の種類名「１Ｐ３Ｗ」は、単相３線式電路を示しており、図示はしないが、この電路が選択されたときには、チャンネルＣＨ１，ＣＨ２の２つの方形表示領域Ａ１，Ａ２に亘って、被測定電路の配線状態を示す接続図画像Ｇ４ａが表示される。
【符号の説明】
【００４０】
１  電力計
２  入力部
３  処理部
１１，１３，１５，１７  電流検出端子
２１  電流検出プローブ
３１  電圧検出プローブ
Ａ１〜Ａ４  方形表示領域
ＣＨ１〜ＣＨ４  チャンネル
Ｇ２  種類名画像
Ｇ３  チャンネル名画像
Ｇ４  接続図画像
Ｉ  線電流
Ｕ  線間電圧
【図１】
2010175424.tif 000003
【図２】
2010175424.tif 000004
【図３】
2010175424.tif 000005
【図４】
2010175424.tif 000006